(57)【要約】      （修正有）【課題】支持線部と本体部とが接続部により間欠的に接続されている弛み付きの光ケーブルを巻取る際に、余長部分に小径な曲がりを生じるのを防止するとともに繰り出す際に絡んだりするのを防止することができる光ケーブルの巻取り方法および巻き取られた光ケーブルを提供する。【解決手段】光ケーブル１０の長手方向における接続部位置である基準位置ＰＡでは、支持線部２０と２本の抗張力体３１ａ、３１ｂとが略直線状に配置されるとともにこの直線が巻取り半径Ｒと直交する状態で巻き取る。そして、基準位置から次の基準位置に向かって巻取り位置が移動するに伴って、本体部３０の外被３４の表面を支持線部２０の外被２２の表面と接しながら支持線部２０の周囲を往復移動させる。【選択図】図３
2007094180.tif 000002
【特許請求の範囲】
【請求項１】
支持線部と、前記支持線部よりも長い本体部と、前記支持線部と前記本体部とを間欠的に接続する幅狭の接続部とを有し、
前記本体部が、２本の抗張力体と、これら２本の抗張力体の間に配置された光ファイバ心線と、前記２本の抗張力体および前記光ファイバ心線を該２本の抗張力体を結ぶ直線を長軸とする偏平形状に一括被覆した外被とを有する光ケーブルを巻き取る光ケーブルの巻取り方法であって、
前記光ケーブルの長手方向における前記接続部位置である基準位置においては、前記支持線部と前記２本の抗張力体とが略直線状に配置されるとともにこの直線が巻取り半径と直交する状態で巻き取られ、
隣接する前記接続部間である中間部においては、前記光ケーブルの長手方向に沿って、前記本体部が前記２本の抗張力体を結ぶ線分を巻取り半径方向と可能な限り直交に近い状態で、前記本体部の外被の表面を前記支持線部の外被の表面と接しながら前記支持線部の周囲を往復移動して前記基準位置に戻ることを特徴とする光ケーブルの巻取り方法。
【請求項２】
前記本体部の前記支持線部の周囲における移動量は、前記光ケーブルにおける前記本体部の余長の長さに応じて決定されることを特徴とする請求項１に記載の光ケーブルの巻取り方法。
【請求項３】
支持線部と、前記支持線部よりも長い本体部と、前記支持線部と前記本体部とを間欠的に接続する幅狭の接続部とを有し、
前記本体部が、２本の抗張力体と、これら２本の抗張力体の間に配置された光ファイバ心線と、前記２本の抗張力体および前記光ファイバ心線を該２本の抗張力体を結ぶ直線を長軸とする偏平形状に一括被覆した外被とを有する光ケーブルが巻き中心を中心として巻き取られた光ケーブルであって、
前記光ケーブルの長手方向における前記接続部位置である基準位置においては、前記支持線部と前記２本の抗張力体とが略直線状に配置されるとともにこの直線が巻取り半径と直交する状態で巻き取られており、
隣接する前記接続部間である中間部においては、前記光ケーブルの長手方向に沿って、前記本体部が前記２本の抗張力体を結ぶ線分を巻取り半径方向と可能な限り直交に近い状態で、前記本体部の外被の表面を前記支持線部の外被の表面と接しながら前記支持線部の周囲を往復移動しながら巻き取られて前記基準位置に戻ることを特徴とする巻き取られた光ケーブル。
【発明の詳細な説明】
【技術分野】
【０００１】
本発明は光ケーブルの巻取り方法に係り、例えば、光ファイバを収容している本体部が支持線部よりも長く、支持線部と本体部とが接続部により間欠的に接続されている弛み付きの光ケーブルを巻き取ることができる光ケーブルの巻取り方法および巻き取られた光ケーブルに関するものである。
【背景技術】
【０００２】
従来より、架空線や架空地線等に巻き付けて敷設する光ケーブルをボビンに巻き取る巻取り方法が開示されている（例えば特許文献１参照）。
図９（Ａ）〜（Ｃ）には、光ケーブルの巻取り方法の一例が示されている。まず、図９（Ａ）に示すように、連続光ケーブル１００を、巻枠１０１を増設した第１ボビン１０２に巻取る。次いで、図９（Ｂ）に示すように、巻取った連続光ケーブル１００の所定量を、連続光ケーブル１００の巻き終わり端部１００ａを巻初め端部として第２ボビン１０３に巻取る。その後、図９（Ｃ）に示すように、第１ボビン１０２に増設した巻枠１０１を取り外す。
【特許文献１】特開２００４−１６６３５２号公報（図１）
【発明の開示】
【発明が解決しようとする課題】
【０００３】
ところで、巻取る光ケーブルが、光ファイバを収容している本体部に余長が設けられていて支持線部よりも長く、支持線部と本体部とが接続部により間欠的に接続されている弛み付きの光ケーブルである場合には、一般に少心数で小型であるため、前述したような丸型の配線ケーブル等と比較して、本体部の剛性が小さく、普通に巻取ると隣接する接続部間の中間において余長が溜まって、上段に巻かれるケーブルの側圧により、以下のような不都合がある。
＜１＞  巻取られた状態で本体部が小径に曲げられ、製品検査のために伝送特性を測定すると、製品が問題なく製造されている場合であっても、小径の曲がり箇所において光信号が漏出し、誤って伝送損失の増大や断線と検知される場合がある。
＜２＞  本体部の余長の溜まった部分は支持線部から離れた位置に巻かれるため、上下層に巻かれた光ケーブルと絡み易く、繰り出しの際に解けなかったり、絡んだ部分が解ける際の張力変動によるハネや重なりが生じ、最悪の場合には食い込んだ本体部が破断する。
＜３＞  小径に曲げられた箇所では、テンションメンバと外被の変形や、テンションメンバに対する外被のずれ等が生じる事があり、外形上の癖が残って、敷設後も光ケーブルの一部に皺がよっているように見えて外観が悪い。
【０００４】
本発明は、前述した問題点に鑑みてなされたものであり、その目的は、光ファイバを収容している本体部が支持線部よりも長く、支持線部と本体部とが接続部により間欠的に接続されている弛み付きの光ケーブルを巻取る際に、余長部分に小径な曲がりを生じるのを防止するとともに繰り出す際に絡んだりするのを防止することができる光ケーブルの巻取り方法および巻き取られた光ケーブルを提供することにある。
【課題を解決するための手段】
【０００５】
前述した目的を達成するために、本発明にかかる光ケーブルの巻取り方法の第１の特徴は、支持線部と、前記支持線部よりも長い本体部と、前記支持線部と前記本体部とを間欠的に接続する幅狭の接続部とを有し、前記本体部が、２本の抗張力体と、これら２本の抗張力体の間に配置された光ファイバ心線と、前記２本の抗張力体および前記光ファイバ心線を該２本の抗張力体を結ぶ直線を長軸とする偏平形状に一括被覆した外被とを有する光ケーブルを巻き取る光ケーブルの巻取り方法であって、前記光ケーブルの長手方向における前記接続部位置である基準位置においては、前記支持線部と前記２本の抗張力体とが略直線状に配置されるとともにこの直線が巻取り半径と直交する状態で巻き取られ、隣接する前記接続部間である中間部においては、前記光ケーブルの長手方向に沿って、前記本体部が前記２本の抗張力体を結ぶ線分を巻取り半径方向と可能な限り直交に近い状態で、前記本体部の外被の表面を前記支持線部の外被の表面と接しながら前記支持線部の周囲を往復移動して前記基準位置に戻ることにある。
【０００６】
このように構成された光ケーブルの巻取り方法においては、光ケーブルの長手方向における接続部位置である基準位置では、支持線部と２本の抗張力体とが略直線状に配置されるとともにこの直線が巻取り半径と直交する状態で巻き取る。そして、基準位置から次の基準位置に向かって巻取り位置が移動するに伴って、本体部の外被の表面を支持線部の外被の表面と接しながら支持線部の周囲を往復移動させる。すなわち、本体部を支持線部に対してＳＺ状にジグザグに移動させることにより本体部の余長を吸収して巻取るので、余長部分が溜まって小径の曲がりを発生するのを防止することができ、伝送特性を測定の際に誤って伝送損失の増大や断線と検知されるのを防止することができる。また、小径に曲げられることによって皺や変形が発生して外観を損ねるのを防止することができる。このとき、２本の抗張力体を結ぶ線分が巻取り半径方向と可能な限り直交に近い状態となるようにして本体部を平行移動させると、巻取られた表面がフラットに近くなるので、次に巻かれた層もフラットに近く巻取ることができる。
【０００７】
また、本発明にかかる光ケーブルの巻取り方法の第２の特徴は、上記本発明の第１の特徴において、前記本体部の前記支持線部の周囲における移動量は、前記光ケーブルにおける前記本体部の余長の長さに応じて決定されることにある。
【０００８】
このように構成された光ケーブルの巻取り方法においては、本体部の長さと支持線部の長さの差である余長が大きいほど本体部の往復移動幅を大きくして余長を吸収し、本体部が支持線部からばらけないようにする。これにより、光ケーブルを繰り出す際に本体部と支持線部とがほぼ一体的に繰り出されるので、上下層に巻かれた光ケーブルと絡むのを防止することができる。
【０００９】
また、本発明にかかる巻き取られた光ケーブルの特徴は、支持線部と、前記支持線部よりも長い本体部と、前記支持線部と前記本体部とを間欠的に接続する幅狭の接続部とを有し、前記本体部が、２本の抗張力体と、これら２本の抗張力体の間に配置された光ファイバ心線と、前記２本の抗張力体および前記光ファイバ心線を該２本の抗張力体を結ぶ直線を長軸とする偏平形状に一括被覆した外被とを有する光ケーブルが巻き中心を中心として巻き取られた光ケーブルであって、前記光ケーブルの長手方向における前記接続部位置である基準位置においては、前記支持線部と前記２本の抗張力体とが略直線状に配置されるとともにこの直線が巻取り半径と直交する状態で巻き取られており、隣接する前記接続部間である中間部においては、前記光ケーブルの長手方向に沿って、前記本体部が前記２本の抗張力体を結ぶ線分を巻取り半径方向と可能な限り直交に近い状態で、前記本体部の外被の表面を前記支持線部の外被の表面と接しながら前記支持線部の周囲を往復移動しながら巻き取られて前記基準位置に戻ることにある。
【００１０】
このように構成された巻き取られた光ケーブルにおいては、光ケーブルの長手方向における接続部位置である基準位置では、支持線部と２本の抗張力体とが略直線状に配置されるとともにこの直線が巻取り半径と直交する状態で巻き取る。そして、基準位置から次の基準位置に向かって巻取り位置が移動するに伴って、本体部の外被の表面を支持線部の外被の表面と接しながら支持線部の周囲を往復移動する。すなわち、本体部を支持線部に対してジグザグに移動させることにより本体部の余長を吸収して巻取っているので、余長部分が溜まって小径の曲がりを発生するのを防止している。このとき、２本の抗張力体を結ぶ線分が巻取り半径方向と可能な限り直交に近い状態となるようにして本体部を平行移動させると、巻取られた表面がフラットに近くなるので、次に巻かれた層もフラットに近く巻取られることになる。
【発明の効果】
【００１１】
本発明によれば、本体部を支持線部の外周に沿わせて往復移動させることにより一体的に巻取るので、余長を吸収して、余長部分に小径な曲がりを生じるのを防止するとともに、繰り出す際に絡んだりするのを防止することができ、これにより、伝送特性を測定の際に誤って伝送損失の増大や断線と検知されるのを防止することができるという効果が得られる。
【発明を実施するための最良の形態】
【００１２】
以下、本発明に係る実施形態を図面に基づいて詳細に説明する。
図１は本発明の光ケーブルの巻取り方法を適用する光ケーブルの断面図、図２は光ケーブルの側面図、図３（Ａ）〜（Ｆ）は本発明に係る光ファイバの巻取り方法の各工程を示す説明図、図４は巻取り時における支持線部と本体部との位置関係を示す説明図、図５は本巻取り方法を実施する巻取装置の一例を示す構成図、図６はガイドキャプスタンの断面図である。
【００１３】
図１に示すように、本発明の光ケーブルの巻取り方法および巻き取られた光ケーブルを適用できる光ケーブル１０は、支持線部２０と、支持線部２０よりも長い（例えば、本体部が支持線に対し０．２５〜０．５０％程度の余長を持つ）本体部３０と、支持線部２０と本体部３０とを間欠的に接続する幅狭の接続部４０とを有している。
支持線部２０は電柱等の支持点間を架空する際の強度部材であり、内部に高強度の鋼線２１を有していて、鋼線２１の外側は支持線部外被２２によって被覆されている。なお、鋼線２１として、細径の鋼線を撚った撚線の場合もある。また、支持線部外被２２の直径は、負担する必要のある張力などの要因により決まり、図１に記載のように本体部３０より大きい場合も小さい場合もある。
【００１４】
本体部３０は、鋼線やＦＲＰ等で構成される２本の抗張力体３１ａ、３１ｂと、これら２本の抗張力体３１ａ、３１ｂの間に配置された例えば４心のテープ心線を２列に配した光ファイバ心線３２と、２本の抗張力体３１ａ、３１ｂおよび光ファイバ心線３２を２本の抗張力体３１ａ、３１ｂを結ぶ直線を長軸３３とする偏平形状に一括被覆した本体部外被３４とを有している。本体部３０の長軸３３と平行な本体部外被３４の外側面３４ａには、中央に例えば台形状をした切欠き３５が設けられており、切欠き３５から本体部外被３４を裂いて、内部に収容されている光ファイバ心線３２を容易に取り出すことができるようになっている。
なお、図１においては台形の切欠き３５を示したが、このほか、図３中に示すようなＶ溝としてもよい。
【００１５】
また、図２に示すように、支持線部２０と本体部３０とは、接続部４０によって所定間隔で間欠的に連結されている。従って、支持線部２０を例えば電柱間に架空すると、接続部４０位置においては接続部４０によって支持線部２０と本体部３０は連結されているが、隣接する接続部４０、４０間においては、本体部３０には余長が設けられていて支持線部２０よりも長いので、本体部３０は下方に垂れることになる。すなわち、中間部においては、本体部３０は支持線部２０とは別に移動することができる。これにより、光ファイバ心線３２に余長を確保するとともに、架空時における風の抵抗を小さくして風による断線等を防止している。
なお、支持線部外被２２、本体部外被３４、接続部４０は、例えば、難燃性ポリエチレン等の樹脂によって一括して被覆されている。
【００１６】
次に、図３（Ａ）〜（Ｆ）に基づいて、本発明に係る光ケーブルの巻取り方法について説明する。なお、ここでは、前述した光ケーブル１０をボビン１１に巻取る場合について説明する。
図３（Ａ）に示すように、光ケーブル１０の長手方向（図２において左右方向）における接続部４０位置である基準位置ＰＡ１、ＰＡ２（図２参照）においては、支持線部２０と２本の抗張力体３１ａ、３１ｂとが略直線状に配置されるとともにこの直線が巻取り半径Ｒと直交する状態で巻き取られる。
【００１７】
そして、光ケーブル１０における巻取り位置が基準位置ＰＡ１から次の基準位置ＰＡ２に移動するにつれて、隣接する接続部間である中間部Ｍ（図２参照）においては支持線部２０と本体部３０との位置関係は、図３（Ｂ）→図３（Ｆ）に順に移動する。
すなわち、図３（Ａ）に示すように、支持線部２０と本体部３０はほぼ一直線上にあるため、共に半径Ｒで巻取られる。従って、巻取られる長さは支持線部２０と本体部３０で同じとなる。
【００１８】
次に、図３（Ｂ）に示すように、基準位置ＰＡ１（図２参照）から離れると、中間部Ｍでは支持線部２０と本体部３０とを連結していた接続部４０がなくなるため、本体部３０は支持線部２０に対して移動可能となる。そこで、ＰＢ位置（図２参照）においては、図３（Ｂ）に示すように、本体部３０が２本の抗張力体３１ａ、３１ｂを結ぶ線分（長軸）３３を巻取り半径方向Ｒと可能な限り直交に近い状態に維持して、本体部３０の外被３４の表面を支持線部２０の外被２２の表面と接しながら、図３中反時計回りに移動を開始する。このとき、支持線部２０は半径Ｒで巻取られるが、本体部３０は半径（Ｒ＋ΔＲｂ）で巻取られる。このため、本体部３０の方が長く巻き取られることになるので、本体部３０の余長を収容することができる。また、直線的に巻き取られる支持線部２０に対して、本体部３０を左右に蛇行させてＳＺ撚りとすることにより、余長を吸収する効果もある。
【００１９】
さらに、ＰＣ位置（図２参照）においては、図３（Ｃ）に示すように、本体部３０は支持線部２０の上に乗るので、巻取り半径はＲ＋ΔＲｃとなり、巻取半径の増加とＳＺ撚りに撚って本体部２０の余長が吸収される。ＰＤ位置（図２参照）では、図３（Ｄ）に示すように、本体部３０は支持前部２０の左側へ移動する。そして、ＰＥ位置（図２参照）では、図３（Ｅ）に示すように、支持線部２０に接しながら移動して、中間部Ｍの中央では、図３（Ｆ）に示すように、本体部３０は図３（Ａ）の位置関係と反対側まで移動する。以後、前述した移動とは逆に、図３（Ｆ）→図３（Ａ）に移動して、基準位置ＰＡ２に至る。
なお、図３（Ｂ）〜（Ｅ）に示す状態では本体部３０は宙に浮いた状態となっているので、実際には下層に巻かれている光ケーブル１０の状態によっては、本体部３０は水平移動の後、傾くことになるが、ボビン１１に供給される光ケーブル１０は、極力水平に供給するようにするのが望ましい。
【００２０】
但し、必ずしも図３（Ｆ）に示す状態まで移動するものではなく、図３（Ａ）〜（Ｆ）のどの段階まで移動するかは、余長の長さにより決定されるものである。すなわち、巻取る際に本体部３０に張力がかからない位置まで移動して、再び図３（Ａ）に示す基準位置に戻るようにする。また、余長が長くて図３（Ｆ）まで移動しても余長を吸収しきれない場合には、図４に示すように、さらに本体部３０を支持線部２０の下側まで回すことも可能である。この場合には、本体部３０が支持前部２０の下側に移動することによる巻取半径の減少によって生じる本体部３０の巻取り長さの減少よりも、ＳＺ撚りによる巻取り長さの増加が大きい場合に限る。
また、本体部３０のＳＺ撚りのピッチは、敷設時に繰り出したときに、本体部３０に捩れや曲がり等の癖が付かないように、ある程度大きなピッチで撚るようにすることが必要である。
【００２１】
光ケーブル１０を巻取る際に、２本の抗張力体３１ａ、３１ｂを結ぶ線分３３が傾いて巻き取られると、２本の抗張力体３１ａ、３１ｂに異なった張力が作用することになるので、できるだけ巻取半径Ｒに対して直交となるようにするのが望ましい。また、光ケーブル１０をＳＺ撚りするためには、ボビン１１の手前に例えばガイドキャプスタンやガイドローラのようなガイド装置５０（図５参照）を設置して、本体部３０を支持線部２０の回りに平行移動させるようにするのが望ましい。
すなわち、図５に示すように、ガイド装置５０では、光ケーブル１０の本体部３０を支持線部２０に対して移動させながらボビン１１に供給するガイドキャプスタン５１と、ボビン１１に巻取られた光ケーブル１０の巻崩れを防止するためにボビン１１に押し付けるガイドローラ５２を有している。
【００２２】
図６（Ａ）〜（Ｄ）に示すように、ガイドキャプスタン５１では、上下のベルト５１ａ、５１ｂの間に支持線部２０を導く溝５３ａおよび本体部３０をガイドする溝５３ｂが設けられている。下のベルト５１ｂには、支持線部２０を一定の位置に導くために溝５３ｂが同じ位置において真っ直ぐに連続して設けられている。一方、本体部３０を導く溝５３ａは、図３（Ａ）〜（Ｆ）で示したような移動ができるように左右および上下に移動して設けられている。従って、本体部３０を支持線部２０と同じ高さに導く場合あるいは本体部３０の方が低い場合には、本体部３０を導く溝５３ａが下のベルト５１ｂに設けられる場合もある。また、本体部３０を斜めに配したい場合には、溝５３ａが斜めに設けられる場合もある。
従って、ベルト５１ａ、５１ｂの走行に伴い、支持線部２０は同じ位置に供給され、本体部３０は溝５３ａの移動によって支持線部２０に対する位置を変化するように導かれることになる。
【００２３】
一方、巻取られた光ケーブル１０は支持線部２０の剛性により真っ直ぐに延びようとするが、重ねて巻き取られるため、最外層に巻取られている光ケーブル１０の支持線部２０により押さえつけられる。このため、最外層の光ケーブル１０を除けば、巻取られた光ケーブル１０は巻取られた形状に維持されるので、前述したボビン１１等の巻取り部材を取り除いてもばらけない。
従って、例えば、図７に示すような円錐台形の巻取り部材１２に光ケーブル１０を巻取ったり、図８に示すように、開閉する鍔部材１３ａを有する巻取り部材１３に巻取り、巻取った光ケーブル１０を巻取り部材１３から取り出すようにすることもできる。
【００２４】
以上、前述した光ケーブルの巻取り方法および巻き取られた光ケーブルによれば、基準位置ＰＡ１から次の基準位置ＰＡ２に向かって巻取り位置が移動するに伴って、本体部３０の外被３４の表面を支持線部２０の外被２２の表面と接しながら支持線部２０の周囲を往復移動させる。すなわち、本体部３０を支持線部２０に対して長手方向に沿ってジグザグに移動（ＳＺ撚り）させることにより本体部３０の余長を吸収して巻取るので、従来のように余長部分が溜まって小径の曲がりを発生するのを防止することができ、伝送特性を測定の際に誤って伝送損失の増大や断線と検知されるのを防止することができる。また、巻取られている光ケーブル１０を繰り出す際に絡むのを防止することができる。また、小径に曲げられることによって皺や変形が発生して外観を損ねるのを防止することができる。
【００２５】
なお、本発明の光ケーブルの巻取り方法は、前述した実施形態に限定されるものでなく、適宜な変形，改良等が可能である。
例えば、前述した実施形態において、光ケーブル１０の本体部３０の形状として台形状の切欠き３５を有する全体矩形状のものを例示したが、このほか、Ｖノッチを有するものや断面が偏平な長円形のものを用いることもできる。また、本体部３０に収容されている光ファイバとして、４心のテープ心線を２つ積層したものを例示したが、心数や積層数等は限定するものではない。
【産業上の利用可能性】
【００２６】
以上のように、本発明に係る光ケーブルの巻取り方法および巻き取られた光ケーブルは、隣接する接続部間における本体部と支持線部との長さの違いが、従来のような小径な曲がりを発生させるという問題を解消でき、これにより、伝送特性を測定の際に誤って伝送損失の増大や断線と検知されるのを防止することができるという効果を有し、光ファイバを収容している本体部が支持線部よりも長く、支持線部と本体部とが接続部により間欠的に接続されている弛み付きの光ケーブルを巻き取ることができる光ケーブルの巻取り方法および巻き取られた光ケーブル等として有用である。
【図面の簡単な説明】
【００２７】
【図１】本発明の光ケーブルの巻取り方法を適用する光ケーブルの断面図である。
【図２】光ケーブルの側面である。
【図３】（Ａ）〜（Ｆ）は本発明に係る光ファイバの巻取り方法の各工程を示す説明図である。
【図４】図３（Ａ）〜（Ｆ）のときの支持線部と本体部との位置関係を示す説明図である。
【図５】本巻取り方法を実施する巻取機の一例を示す構成図である。
【図６】（Ａ）〜（Ｄ）は、本体部を移動させるためにガイドキャプスタンに設けられているガイド溝の変化を示す断面図である。
【図７】巻取り部材の位置例を示す斜視図である。
【図８】巻取装置によって巻取られた光ケーブルを取り出す状態を示す斜視図である。
【図９】（Ａ）〜（Ｃ）は、従来の光ケーブルの巻取り方法を示す説明図である。
【符号の説明】
【００２８】
１０  光ケーブル
２０  支持線部
２２  支持線部外被（外被）
３０  本体部
３１ａ、３１ｂ  抗張力体
３２  光ファイバ心線
３３  長軸
３４  本体部外被（外被）
４０  接続部
ＰＡ  基準位置
Ｒ  巻取り半径
Ｍ  中間部
【図１】
2007094180.tif 000003
【図２】
2007094180.tif 000004
【図３】
2007094180.tif 000005
【図４】
2007094180.tif 000006
【図５】
2007094180.tif 000007
【図６】
2007094180.tif 000008
【図７】
2007094180.tif 000009
【図８】
2007094180.tif 000010
【図９】
2007094180.tif 000011